(57)【要約】【課題】曲げ加工の前における寸法安定性を向上させる。【解決手段】端子金具１０は、導電性の金属板からなり、電線９０の端末部を受ける底板１４と、この底板１４の側縁から立ち上げられて、電線９０の絶縁被覆９３に嵌着されたゴム栓８０の外周面にその先端部を内側へ倒しつつ巻き付けられる圧着片１９とを備える。圧着片１９には、この圧着片１９の先端部を内側へ折り返すことによって高剛性部２２が形成されている。したがって、曲げ加工の前、仮に圧着片１９の先端部に異物等が干渉しても、圧着片１９の先端部は高剛性部２２によってその剛性が高められているから容易に変形されることはない。【選択図】図４
2008293693.tif 000002
【特許請求の範囲】
【請求項１】
導電性の金属板からなり、
電線の端末部を受ける基部と、この基部の側縁から立ち上げられて、前記電線の端末被覆の外周面またはこの電線の端末被覆に嵌着されたゴム栓の外周面にその先端部を内側へ倒しつつ巻き付けられる圧着片とを備え、
前記圧着片には、この圧着片の先端部を折り返すことによって高剛性部が形成されていることを特徴とする端子金具。
【請求項２】
前記高剛性部は、前記圧着片の先端部を内側へ折り返して形成されていることを特徴とする請求項１に記載の端子金具。
【請求項３】
前記圧着片には、この圧着部の曲げ加工の前、前記高剛性部を内側へ向けて鈍角に屈曲させた屈曲部が形成されていることを特徴とする請求項１または請求項２に記載の端子金具。
【発明の詳細な説明】
【技術分野】
【０００１】
本発明は、端子金具に関する。
【背景技術】
【０００２】
特許文献１には、基部の両側縁から一対の圧着片が立ち上げられ、この圧着片が電線の端末被覆に嵌着されたゴム栓に対して内側へ巻き付けられるようにかしめ付けられることで、ゴム栓を電線とともに圧着するようにした端子金具が開示されている。圧着片はその根元から先端にかけてほぼ一定の厚みで比較的薄く構成されている。
【特許文献１】特開２００２−２０３６３６公報
【発明の開示】
【発明が解決しようとする課題】
【０００３】
両圧着片はオープンバレル状に拡開した状態からかしめ用の治具によってその先端部を傾倒させつつ曲げ加工されるため、曲げ加工前における両圧着片の先端部間の寸法は正しく設定されることが要求された。しかし、曲げ加工の前、圧着片の先端部が異物等と干渉して変形されると、両圧着片の先端部間の寸法に狂いが生じてしまうという事情があった。
【０００４】
本発明は上記のような事情に基づいて完成されたものであって、曲げ加工の前における寸法安定性を向上させることを目的とする。
【課題を解決するための手段】
【０００５】
上記の目的を達成するための手段として、請求項１の発明は、導電性の金属板からなり、電線の端末部を受ける基部と、この基部の側縁から立ち上げられて、前記電線の端末被覆の外周面またはこの電線の端末被覆に嵌着されたゴム栓の外周面にその先端部を内側へ倒しつつ巻き付けられる圧着片とを備え、前記圧着片には、この圧着片の先端部を折り返すことによって高剛性部が形成されている構成としたところに特徴を有する。
【０００６】
請求項２の発明は、請求項１に記載のものにおいて、前記高剛性部は、前記圧着片の先端部を内側へ折り返して形成されているところに特徴を有する。  
請求項３の発明は、請求項１または請求項２に記載のものにおいて、前記圧着片には、この圧着部の曲げ加工の前、前記高剛性部を内側へ向けて鈍角に屈曲させた屈曲部が形成されているところに特徴を有する。
【発明の効果】
【０００７】
＜請求項１の発明＞
曲げ加工の前、圧着片の先端部に異物等が干渉しても、圧着片の先端部は高剛性部によってその剛性が高められているから容易に変形されることはなく、寸法安定性に優れる。
また、高剛性部は圧着片の先端部を折り返すことによって形成されているから、この圧着片がゴム栓の外周面に巻き付けられる場合には、ゴム栓の外周面に高剛性部の曲げ端エッジが食い込むのを回避でき、ゴム栓の損傷を防止できる。
【０００８】
＜請求項２の発明＞
高剛性部は圧着片の先端部を内側へ折り返して形成されているから、端子金具がコネクタハウジングのキャビティ内に挿入される際に、キャビティの内壁に高剛性部の曲げ端エッジが当接することがなく、キャビティの内壁の損傷を防止できる。  
＜請求項３の発明＞
圧着片には曲げ加工の前に高剛性部を内側へ向けて鈍角に屈曲させた屈曲部が形成されているから、曲げ加工時、圧着片の先端部（高剛性部）がかしめ用の治具によって内側へ円滑に傾倒させられる。
【発明を実施するための最良の形態】
【０００９】
＜実施形態１＞
本発明の実施形態１を図１ないし図５によって説明する。本実施形態の端子金具１０は、雌端子金具を例示するものであって、導電性の金属板を曲げ加工等して一体に形成されている。
【００１０】
端子金具１０は、電線９０に嵌着されたゴム栓８０にかしめ接続されている。電線９０は、図５に示すように、金属細線９１が束となった芯線９２の周りを絶縁被覆９３により覆った形態であり、その端末部分の絶縁被覆９３を切除することによって所定長さの芯線９２を露出して構成されている。また、ゴム栓８０はシリコンゴム等のゴムによって筒状をなし、電線９０の絶縁被覆９３の外周面に弾性的に密着した状態で嵌め込まれている。ゴム栓８０は、図１及び図２に示すように、その中間部に複数条のリップ部８１を有し、リップ部８１より前方に後方と比べて薄肉円筒状の胴部８２を有している。
【００１１】
そして、端子金具１０は、箱形の本体部１１と、本体部１１の後方に配されたバレル部１２，１３とから構成され、この本体部１１とバレル部１２，１３とが前後に細長い底板１４（本発明の基部に相当）を共有しつつ連成されている。詳しくは本体部１１は、前後両面を開口させた角筒状をなし、底板１４の両側縁（幅方向両端）から立ち上げられた一対の側板１５と、一方の側板１５から他方の側板１５の立ち上げ端へ向けて折り曲げられ、底板１４と対向して配される天井板１６とを備え、前面開口を通して図示しない相手側の雄端子金具のタブが挿入可能となっている。本体部１１の内部には底板１４と一体となった弾性接触片１７が配置されており、この弾性接触片１７が本体部１１内に挿入されたタブと弾性的に接触可能となっている。
【００１２】
バレル部１２，１３は、ワイヤバレル１２と、ワイヤバレル１２より後方に位置するインシュレーションバレル１３とからなる。ワイヤバレル１２は、電線９０の端末部分にて露出された芯線９２にかしめ圧着されるものであり、底板１４の両側縁から一対の突片１８を立ち上げて形成されている。両突片１８は、夫々、前後方向について同じ位置に配され、底板１４上に受けられた芯線９２を包み込むようにしてこの芯線９２の外周面に巻き付けられる。かかる巻き付け状態において、両突片１８の突端同士は幅方向の中心線に沿いつつ対称に突き合わされている。
【００１３】
一方、インシュレーションバレル１３は、電線９０に嵌着されたゴム栓８０の胴部８２にかしめ圧着されるものであり、底板１４の両側縁から一対の圧着片１９を立ち上げて形成されている。両圧着片１９は、夫々、前後方向に交互に位置ずれして配され、底板１４上に受けられたゴム栓８０を包み込むようにしてこのゴム栓８０の外周に対して前後方向にラップした状態で巻き付けられる。本実施形態においては、左側の圧着片１９がワイヤバレル１２寄りの前方に位置し、右側の圧着片１９がワイヤバレル１２から離れて後方に位置している。なお、インシュレーションバレル１３におけるゴム栓８０への受け面は上記ワイヤバレル１２における芯線９２への受け面より下方に位置している。
【００１４】
そして、圧着片１９は、図３に示すように、かしめ工程において曲げ加工がなされる前、底板１４の両側縁からオープンバレル状に拡開されている。この曲げ加工の前、圧着片１９の立ち上げ途中には、圧着片１９の先端部（後述する高剛性部２２）を内側へ少し倒すようにして鈍角に屈曲させた屈曲部２１が形成されている。詳しくは屈曲部２１は外側へ向けて湾曲面状に膨出する形態であり、圧着片１９のうち、屈曲部２１を境とした根元（底板１４）寄りの部位は先広がりの上向き傾斜とされ、屈曲部２１を境とした先端寄りの部位は先窄まりの下向き傾斜とされる。
【００１５】
また、圧着片１９には、この圧着片１９の先端部を板厚方向に折り返すことによって高剛性部２２が形成されている。詳しくは高剛性部２２は、圧着片１９の先端部を内側へ折り返すことによって形成され、内外二枚の板片を密着重ねして構成されている。より詳しくは、圧着片１９の、屈曲部２１を境とした先端寄りの部位のうちの上半部が高剛性部２２として構成され、圧着片１９の内側面は高剛性部２２によって段差をなす一方、圧着片１９の外側面は段差なく面一状に連なっている。そして、圧着片１９の先端縁（高剛性部２２の先端縁）の内外両角部はテーパ状の面取り部２３によって角落しされている。
【００１６】
次に、本実施形態の作用を説明する。  
かしめ工程に先立ち、底板１４の上面（内面）に対して上方から電線９０及びこの電線９０に嵌着されたゴム栓８０を載せる。続いて、図４に示すように、曲げ加工（かしめ）用の固定治具７０の内上面に形成された収容凹面７１にインシュレーションバレル１３を挿入し、その状態で上方から可動治具６０を降下させる。すると、可動治具６０の内下面において円弧状に形成された押さえ面６１が両圧着片１９の外面と当接し、これによって両圧着片１９の先端部（高剛性部２２）が内側へ傾倒させられる。このとき、圧着片１９の先端部は屈曲部２１を介することによって内向きに傾いているから、内曲げ動作が円滑となる。さらに可動治具６０が降下すると、両圧着片１９が可動治具６０の押さえ面６１に沿いつつゴム栓８０の胴部８２の外周面に巻き付けられる。
【００１７】
可動治具６０が正規深さに降下すると、両圧着片１９がゴム栓８０の胴部８２の外周面に緊密にかしめ圧着され、胴部８２の外周面の一部が高剛性部２２により圧縮されて凹まされる。このとき、ゴム栓８０の肉が圧着片１９の先端外側に少し食み出て逃がされるが、その食み出た肉は圧着片１９の板厚範囲内に収まる。また、底板１４の外周面及び圧着片１９の外周面は電線９０と同心のほぼ真円弧をなす。そして、圧着片１９のうち屈曲部２１に相当する部位も周囲と同じ曲率の真円弧状に変形され、曲げ加工後においては屈曲部２１は実質的に消失される。
【００１８】
こうしてゴム栓８０をかしめ付けした端子金具１０は図示しない防水コネクタのコネクタハウジングに形成されたキャビティ内に挿入される。すると、圧着片１９はキャビティの内壁に非干渉に配置される一方、ゴム栓８０のリップ部８１はキャビティの内壁に弾縮状態で密着され、コネクタハウジング内のシールがとられる。
【００１９】
ところで、かしめ加工に入る前（曲げ加工の前）、圧着片１９の先端部に異物等が干渉して偶発的に応力が加わっても、圧着片１９の先端部は高剛性部２２によってその剛性が高められているため、不用意に変形することはなく、両圧着片１９間の幅方向の離間距離Ａ（図３参照）はほぼ一定に保たれる。
【００２０】
以上説明したように本実施形態によれば、圧着片１９の先端部が高剛性部２２によって容易に変形されないようにしたから、寸法安定性に優れ、結果、曲げ動作の円滑性を保証できる。
また、図６に示すように、高剛性部２２を有しない比較例においては、曲げ加工の際、圧着片１９の先端エッジがゴム栓８０の外周面に食い込み、場合によってはゴム栓８０の外周面が傷付くおそれがあった。しかし、本実施形態においては、圧着片１９の先端エッジ（高剛性部２２の曲げ端エッジ）が折り返された形態をなしているから、圧着片１９の先端エッジによってゴム栓８０の外周面が傷付くのを防止できる。
【００２１】
また、高剛性部２２は圧着片１９の先端部を内側へ折り返して形成されているから、端子金具１０がコネクタハウジングのキャビティ内に挿入される際に、キャビティの内壁に高剛性部２２の曲げ端エッジが当接することがなく、キャビティの内壁の損傷をも防止できる。  
さらに、圧着片１９には曲げ加工の前に高剛性部２２を内側へ向けて鈍角に屈曲させた屈曲部２１が形成されているから、曲げ加工時、圧着片１９の先端部（高剛性部２２）が曲げ加工用の可動治具６０によって内側へより円滑に倒される。
【００２２】
＜他の実施形態＞
本発明は上記記述及び図面によって説明した実施形態に限定されるものではなく、例えば次のような実施形態も本発明の技術的範囲に含まれる。  
（１）圧着片は底板の両側縁の夫々に前後方向について同じ位置に対向して配されていてもよい。  
（２）高剛性部は密着曲げでなく、例えば雫状に折り返されてもよい。  
（３）高剛性部が圧着片の先端部を外側へ折り返して形成されてもよい。  
（４）屈曲部は無くてもよく、例えば、曲げ加工前、圧着片が全長に亘ってほぼ同じ傾斜角で拡開する形態であってもよい。  
（５）インシュレーションバレルは、電線の端末被覆の外周面に巻き付けられる形態であってよい。  
（６）本発明は、雄端子金具に適用可能である。
【図面の簡単な説明】
【００２３】
【図１】本実施形態の端子金具の平面図
【図２】端子金具の側面図
【図３】インシュレーションバレルを示す断面図
【図４】かしめ用の治具によりインシュレーションバレルを曲げ加工する直前の状態を示す断面図
【図５】ゴム栓にかしめ圧着されたインシュレーションバレルを示す断面図
【図６】比較例として示す図５相当図
【符号の説明】
【００２４】
１０…端子金具
１３…インシュレーションバレル
１４…底板（基部）
１９…圧着片
２１…屈曲部
２２…高剛性部
８０…ゴム栓
９０…電線
９２…芯線
【図１】
2008293693.tif 000003
【図２】
2008293693.tif 000004
【図３】
2008293693.tif 000005
【図４】
2008293693.tif 000006
【図５】
2008293693.tif 000007
【図６】
2008293693.tif 000008